(57)【要約】  ２個以上の被計測物の各々を個別に評価することを容易にするために、２次元画像処理装置では、２次元画像を表現する画像データが取得され、２個以上の被処理領域が２次元画像に設定される。２個以上の被処理領域から１個以上の被処理領域が選択され、選択された１個以上の被処理領域に適用される処理条件が設定される。処理条件を適用して１個以上の被処理領域における色彩データ及び輝度データの両方又は片方が画像データから取得され処理される。
2014065121.tif 000002
【特許請求の範囲】
【請求項１】
２次元画像を表現する画像データを取得する取得部と、
２個以上の被処理領域を前記２次元画像に設定する領域設定部と、
前記２個以上の被処理領域から、少なくとも１個の被処理領域を選択せずに残して、第１の１個以上の被処理領域を選択する選択部と、
選択された前記第１の１個以上の被処理領域に適用される第１の処理条件を設定する条件設定部と、
前記第１の処理条件を適用して前記第１の１個以上の被処理領域における色彩データ及び輝度データの両方又は片方を前記画像データから取得し処理する処理部と、
を備える２次元画像データ処理装置。
【請求項２】
前記条件設定部は、
前記第１の１個以上の被処理領域とは異なる第２の１個以上の被処理領域に適用され前記第１の処理条件と異なる第２の処理条件を設定し、
前記処理部は、
第２の処理条件を適用して前記第２の１個以上の被処理領域における色彩データ及び輝度データの両方又は片方を前記画像データから取得し処理する
請求項１の２次元画像データ処理装置。
【請求項３】
表示部
をさらに備え、
前記条件設定部は、
前記第１の１個以上の被処理領域に適用される前記色彩データ又は前記輝度データの上限値及び下限値を前記第１の処理条件として設定し、
前記処理部は、
前記色彩データ又は前記輝度データの前記下限値から前記上限値までの範囲を擬似カラースケールにマッピングし、前記第１の１個以上の被処理領域における前記色彩データ又は前記輝度データを前記画像データから取得し、前記第１の１個以上の被処理領域における色彩又は輝度の２次元分布の擬似カラー表示を前記表示部に描画する
請求項１の２次元画像データ処理装置。
【請求項４】
表示部
をさらに備え、
前記条件設定部は、
前記第１の１個以上の被処理領域に適用されるスポットの位置を前記第１の処理条件として設定し、
前記処理部は、
前記第１の１個以上の被処理領域の前記スポットの位置における前記色彩データ又は前記輝度データを前記画像データから取得し、前記第１の１個以上の被処理領域の前記スポットの位置における色彩又は輝度の値を前記表示部に描画する
請求項１の２次元画像データ処理装置。
【請求項５】
表示部
をさらに備え、
前記条件設定部は、
前記第１の１個以上の被処理領域に適用されるむらの強調条件を前記第１の処理条件として設定し、
前記処理部は、
前記第１の１個以上の被処理領域における前記色彩データ又は前記輝度データを前記画像データから取得し、前記むらの強調条件に従って前記第１の１個以上の被処理領域における色彩又は輝度のむらの強調表示を前記表示部に描画する
請求項１の２次元画像データ処理装置。
【請求項６】
表示部と、
前記画像データに基づいて前記２次元画像を前記表示部に描画する表示制御部と、
をさらに備え、
前記選択部は、
前記第１の１個以上の被処理領域及び前記第１の１個以上の被処理領域以外を識別する情報を前記表示部に描画する
請求項１の２次元画像データ処理装置。
【請求項７】
表示部と、
操作部と、
前記画像データに基づいて前記２次元画像を前記表示部に描画する表示制御部と、
をさらに備え、
前記条件設定部は、
前記第１の処理条件を設定するためのユーザーインターフェースを前記２次元画像と並べて前記表示部に描画し、前記第１の処理条件を設定する操作が前記操作部を用いて前記ユーザーインターフェースに対して行われたことを検出し、前記操作に従って前記第１の処理条件を設定する
請求項１の２次元画像データ処理装置。
【請求項８】
前記２次元画像の内部の背景領域及び被計測物領域を識別する識別部
をさらに備え、
前記領域設定部は、
前記被計測物領域に前記被処理領域を設定する
請求項１の２次元画像データ処理装置。
【請求項９】
操作部
をさらに備え、
前記識別部は、
前記被計測物領域の数を指定する操作が前記操作部を用いて行われたことを検出し、前記操作により指定された数の前記被計測物領域を認識する
請求項８の２次元画像データ処理装置。
【請求項１０】
撮像を行い、撮像された２次元画像を表現する画像データを生成する撮像機構と、
前記画像データを取得する取得部と、
２個以上の被処理領域を前記撮像された２次元画像に設定する領域設定部と、
前記２個以上の被処理領域から、少なくとも１個の被処理領域を選択せずに残して、１個以上の被処理領域を選択する選択部と、
選択された前記１個以上の被処理領域に適用される処理条件を設定する条件設定部と、
前記処理条件を適用して前記１個以上の被処理領域における色彩データ又は輝度データの両方又は片方を前記画像データから取得し処理する処理部と、
を備える２次元色彩輝度計。
【請求項１１】
a) ２次元画像を表現する画像データを取得する工程と、
b) ２個以上の被処理領域を前記２次元画像に設定する工程と、
c) 前記２個以上の被処理領域から、少なくとも１個の被処理領域を選択せずに残して、１個以上の被処理領域を選択する工程と、
d) 選択された前記１個以上の被処理領域に適用される処理条件を設定する工程と、
e) 前記処理条件を適用して前記１個以上の被処理領域における色彩データ及び輝度データの両方又は片方を前記画像データから取得し処理する工程と、
を備える２次元画像データ処理方法。
【請求項１２】
a) ２次元画像を表現する画像データを取得する工程と、
b) ２個以上の被処理領域を前記２次元画像に設定する工程と、
c) 前記２個以上の被処理領域から、少なくとも１個の被処理領域を選択せずに残して、１個以上の被処理領域を選択する工程と、
d) 選択された前記１個以上の被処理領域に適用される処理条件を設定する工程と、
e) 前記処理条件を適用して前記１個以上の被処理領域における色彩データ及び輝度データの両方又は片方を前記画像データから取得し処理する工程と、
をコンピューターに実行させる２次元画像データ処理プログラム。
【発明の詳細な説明】
【技術分野】
【０００１】
本発明は、２次元画像データ処理装置、２次元色彩輝度計、２次元画像データ処理方法及び２次元画像データ処理プログラムに関する。
【背景技術】
【０００２】
フラットパネルディスプレイ（ＦＰＤ）には、液晶ディスプレイ、プラズマディスプレイ、有機エレクトロルミネッセンス（ＥＬ）ディスプレイ等がある。これらのＦＰＤが評価される場合は、表示画面内の輝度むら又は色むらを評価するために、２次元色彩輝度計が使用される。２次元色彩輝度計を使用してＦＰＤが評価される場合は、ＦＰＤが１台ずつ計測されるときと複数台のＦＰＤが１度に計測されるときとがある。【０００３】
複数台のＦＰＤが１度に計測される場合は、複数台のＦＰＤが同じ平面上に配列され、配列された複数台のＦＰＤから離して２次元色彩輝度計が設置される。そして、複数台のＦＰＤが撮像された２次元画像を表現する画像データ（２次元画像データ）が生成される。２次元画像データから色度データ又は輝度データが取得される。色度データ又は輝度データが擬似カラースケールにマッピングされ、色度又は輝度の２次元分布の擬似カラー表示が描画される。他の処理が行われる場合もある。従来、一つの２次元画像内に撮像された複数台のＦＰＤの評価値に対する処理条件は一律であり、２次元画像データの全体に同じ処理が実行されていた。従って、例えば複数台のＦＰＤの各々に適用される処理条件を異ならせる場合は、複数台のＦＰＤの各々に対応する部分を２次元画像データから切り出す必要があり、切り出された複数の新たな２次元画像データの各々から色度データ又は輝度データが取得される。このように、２次元画像データを複数台のＦＰＤに対応して切り離すことで、各々に固有の処理条件が適用され、色度データ又は輝度データを処理することができていた。【０００４】
特許文献１の２次元色彩計には、自動車のインジケーターパネル等の一つの測定画面内に色が異なる複数の領域が存在する場合に、２次元画像データを構成する多数の画素データについて、画素ごと（領域ごと）に校正データを適用することが開示されている。この技術は、一つの測定画面内に異なる色が存在する場合に、画素に含まれる色を判別して、適用する校正データを画素ごと（領域ごと）に切り替えることにより適正な色評価を行うものであり、領域ごとに異なる評価を行うものではない。
【先行技術文献】
【特許文献】
【０００５】
【特許文献１】特開２００７−１９２７２９号公報
【発明の概要】
【発明が解決しようとする課題】
【０００６】
従来の２次元色彩輝度計においては、同時に撮像された複数台のＦＰＤの各々を個別に評価することができず、例えば、ユーザーが２次元画像内のＦＰＤ領域のデータを切り離して個別に評価する必要があり、手間がかかっていた。この問題は、被計測物がＦＰＤ以外である場合にも生じる。【０００７】
本発明の目的は、同時に撮像された２個以上の被計測物の各々を個別に評価することを容易にすることである。
【課題を解決するための手段】
【０００８】
本発明は、２次元画像データ処理装置に向けられる。【０００９】
上記の目的を実現するために、本発明の一態様に係る２次元画像データ処理装置においては、画像データが取得される。２次元画像データは、２次元画像を表現する。２個以上の被処理領域が２次元画像に設定される。２個以上の被処理領域から、少なくとも１個の被処理領域を選択せずに残して、１個以上の被処理領域が選択される。選択された１個以上の被処理領域に適用される処理条件が設定される。処理条件が適用され１個以上の被処理領域における色彩データ及び輝度データの両方又は片方が２次元画像データから取得され処理される。【００１０】
本発明は、２次元色彩輝度計、２次元画像データ処理方法及び２次元画像データ処理プログラムにも向けられる。
【発明の効果】
【００１１】
本発明の一態様に係る２次元画像データ処理装置並びに他の態様に係る２次元色彩輝度計、２次元画像データ処理方法及び２次元画像データ処理プログラムのいずれによっても、２個以上の被計測物の各々を個別に評価することが容易になる。【００１２】
これらの及びこれら以外の本発明の目的、特徴、局面及び利点は、添付図面とともに考慮されたときに下記の本発明の詳細な説明によってより明白となる。
【図面の簡単な説明】
【００１３】
【図１】２次元色彩輝度計の模式図である。
【図２】撮像機構のブロック図である。
【図３】ＰＣのブロック図である。
【図４】２次元画像データの処理の内容を示すブロック図である。
【図５】２次元画像データの処理の内容を示すフローチャートである。
【図６】２次元色彩輝度計の使用例を示す模式図である。
【図７】２次元画像が描画された状態を示す模式図である。
【図８】背景領域及び被計測物領域が識別された状態を示す模式図である。
【図９】２個の被処理領域が選択された状態を示す模式図である。
【図１０】スライドバーに対して操作が行われた状態を示す模式図である。
【図１１】スポットの位置を示す円が描画された状態を示す模式図である。
【発明を実施するための形態】
【００１４】
（２次元色彩輝度計）
図１の模式図は、２次元色彩輝度計１０００の望ましい実施の形態を示す。
【００１５】
図１に示される２次元色彩輝度計１０００は、被計測物９０００の色度及び輝度の両方又は片方を計測する。２次元色彩輝度計１０００が色度以外の色彩の指標値を計測してもよい。例えば、２次元色彩輝度計１０００が色相及び彩度を計測してもよい。
【００１６】
２次元色彩輝度計１０００は、色度及び輝度の両方又は片方の２次元分布の擬似カラー表示を描画し、スポットの位置における色度及び輝度の両方又は片方の値を描画し、色度及び輝度の両方又は片方のむらの強調表示を描画する。２次元色彩輝度計１０００が他の処理を行ってもよい。
【００１７】
２次元色彩輝度計１０００は、２個以上の被計測物９０００がまとめて計測される場合に、２個以上の被計測物９０００の各々に個別の処理条件を適用し、２個以上の被計測物９０００の各々を個別に評価できるようにする。
【００１８】
２次元色彩輝度計１０００は、撮像機構１０２０、パーソナルコンピューター（ＰＣ）１０２１及びユニバーサルシリアルバス（ＵＳＢ）ケーブル１０２２を備える。これらの構成物以外の構成物が２次元色彩輝度計１０００に付加されてもよい。撮像機構１０２０がＰＣ１０２１と無線通信する場合は、ＵＳＢケーブル１０２２が省略されてもよい。
【００１９】
計測が行われる場合は、ＰＣ１０２１がＵＳＢケーブル１０２２を経由して撮像機構１０２０へ制御データを送信し撮像機構１０２０を制御する。撮像機構１０２０は、ＰＣ１０２１による制御に従って撮像を行い、２次元画像データを生成する。この２次元画像データは、撮像された２次元画像を表現する。撮像機構１０２０は、ＵＳＢケーブル１０２２を経由してＰＣ１０２１へ２次元画像データを送信する。ＰＣ１０２１は、２次元画像データを処理する。
【００２０】
（撮像機構）
図２のブロック図は、撮像機構１０２０を示す。
【００２１】
図２に示されるように、撮像機構１０２０は、撮像レンズ１０４０、色フィルター１０４１、撮像センサー１０４２、アナログ／デジタル（Ａ／Ｄ）コンバーター１０４３、タイミングジェネレーター１０４４、フィルター駆動部１０４５、メモリー１０４６、コントローラー１０４７、インターフェース１０４８及び筐体１０４９を備える。これらの構成物以外の構成物が撮像機構１０２０に付加されてもよい。撮像機構１０２０は、表示部及び操作部を備えず、ＰＣ１０２１により制御される。
【００２２】
撮像が行われる場合は、撮像レンズ１０４０が色フィルター１０４１を経由して撮像センサー１０４２へ光を導き撮像センサー１０４２のセンサー面に像を結像させる。色フィルター１０４１は、第１の色、第２の色及び第３の色のいずれかの色の光を透過させる。望ましくは、色フィルター１０４１はＸＹＺフィルターである。
【００２３】
コントローラー１０４７は、タイミングジェネレーター１０４４を制御する。タイミングジェネレーター１０４４は、駆動パルスを撮像センサー１０４２へ出力する。撮像センサー１０４２は、センサー面に結像させられた像を表現する画像信号を駆動パルスに従って生成しＡ／Ｄコンバーター１０４３へ出力する。Ａ／Ｄコンバーター１０４３は、アナログの画像信号をデジタル画像データへ変換し、コントローラー１０４７へ出力する。コントローラー１０４７は、デジタル画像データをメモリー１０４６に書き込む。
【００２４】
コントローラー１０４７は、フィルター駆動部１０４５を制御する。フィルター駆動部１０４５は、色フィルター１０４１が透過させる光の色を切り替える。
【００２５】
色フィルター１０４１が第１の色、第２の色及び第３の色の光を透過させる場合に、それぞれ、第１の色成分、第２の色成分及び第３の色成分の画像データが生成される。コントローラー１０４７は、第１の色成分、第２の色成分及び第３の色成分の画像データをメモリー１０４６から読み出し、３刺激値の２次元画像データを生成しインターフェース１０４８へ出力する。インターフェース１０４８は、２次元画像データをＰＣ１０２１へ出力する。
【００２６】
望ましくは、標準、広角及び望遠の撮像レンズ１０４０が準備され、被計測物９０００の全体が収まる画角を有する撮像レンズ１０４０が選択され、選択された撮像レンズ１０４０が筐体１０４９に取り付けられる。
【００２７】
撮像センサー１０４２は、エリアセンサー（２次元センサー）である。撮像センサー１０４２は、電荷結合素子（ＣＣＤ）センサーである。撮像センサー１０４２がＣＣＤセンサー以外であってもよい。例えば、撮像センサー１０４２が相補型金属酸化物半導体（ＣＭＯＳ）センサーであってもよい。
【００２８】
コントローラー１０４７は、中央処理装置（ＣＰＵ）である。コントローラー１０４７は、現場プログラム可能ゲートアレイ（ＦＰＧＡ）である。コントローラー１０４７が特定用途集積回路（ＡＳＩＣ）であってもよい。
【００２９】
（ＰＣのハードウエア）
図３のブロック図は、ＰＣ１０２１を示す。
【００３０】
図３に示されるように、ＰＣ１０２１は、ＣＰＵ１０６０、メモリー１０６１、ハードディスクドライブ１０６２、操作部１０６３及び表示部１０６４を備える。これらの構成物以外の構成物がＰＣ１０２１に付加されてもよい。
【００３１】
ハードディスクドライブ１０６２には、２次元画像データを処理するプログラム１０８０がインストールされる。プログラム１０８０は、記録媒体１１００により提供されてもよいし、ネットワーク１１２０を経由して提供されてもよい。ＰＣ１０２１が２次元画像データを処理する装置として機能する場合は、プログラム１０８０がメモリー１０６１にロードされ、ＣＰＵ１０６０がプログラム１０８０を実行する。
【００３２】
ハードディスクドライブ１０６２が他の種類の記憶装置に置き換えられてもよい。例えば、ハードディスクドライブ１０６２がソリッドステートドライブに置き換えられてもよい。
【００３３】
操作部１０６３は、キーボード、ポインティングデバイス、スイッチ、ロータリーエンコーダー等である。ポインティングデバイスは、マウス、トラックパッド、タッチパネル、タブレット等である。
【００３４】
表示部１０６４は、ディスプレイ、ランプ等である。ディスプレイは、液晶ディスプレイ、有機エレクトロルミネッセンス（ＥＬ）ディスプレイ等である。
【００３５】
（２次元画像データの処理）
図４のブロック図は、２次元画像データの処理の内容を示す。
【００３６】
図４に示されるように、ＰＣ１０２１において、２次元画像データは、取得部１１４０、表示制御部１１４１、識別部１１４２、領域設定部１１４３、選択部１１４４、条件設定部１１４５、処理部１１４６、操作部１０６３及び表示部１０６４により処理される。取得部１１４０、表示制御部１１４１、識別部１１４２、領域設定部１１４３、選択部１１４４、条件設定部１１４５及び処理部１１４６は、ＣＰＵ１０６０がプログラム１０８０を実行することにより実現される。２次元画像データの処理の全部又は一部の機能が専用のハードウエアにより行われてもよい。ＰＣ１０２１が処理する２次元画像データは、処理の直前に撮像機構１０２０から取得されたものでもよいし、過去に取得されてハードディスクドライブ１０６２に保存されたものでもよい。ＰＣ１０２１は、撮像機構１０２０から切り離された状態においても２次元画像データを処理しうる。
【００３７】
図５のフローチャートは、２次元画像データの処理の内容を示す。以下では、図４及び図５を参照しながら２次元画像データの処理の内容を説明する。
【００３８】
ステップＳ１０１において、取得部１１４０は、２次元画像データを撮像機構１０２０から取得する。
【００３９】
ステップＳ１０２において、表示制御部１１４１は、２次元画像データに基づいて２次元画像を表示部１０６４に描画する。表示制御部１１４１が省略される場合もある。
【００４０】
ステップＳ１０３において、識別部１１４２は、２次元画像の内部の背景領域及び被計測物領域を識別する。
【００４１】
背景領域は、被計測物９０００が写っていない領域である。被計測物領域は、被計測物９０００が写っている領域である。
【００４２】
被計測物９０００がフラットパネルである場合は、例えば、相対的に輝度が高い領域が被計測物領域であると認識され、相対的に輝度が低い領域が背景領域であると認識される。背景領域及び被計測物領域が他のアルゴリズムにより識別されてもよい。例えば、特定の色を有する領域が被計測物領域であると認識され、残余の領域が背景領域であると認識されてもよい。特定の形状を有する輪郭が検出され、検出された輪郭に内包される領域が被計測物領域であると認識され、残余の領域が背景領域であると認識されてもよい。被計測物領域の形状は長方形である。長方形は、正方形も含む。被計測物領域の形状が長方形以外であってもよい。
【００４３】
望ましくは、識別部１１４２は、被計測物領域の数を指定する操作が操作部１０６３を用いて行われたことを検出し、当該操作により指定された数の被計測物領域を認識する。これにより、背景領域及び被計測物領域が高速に識別される。被計測物領域の数は、例えば、（ｍ×ｎ）のように、行ｍ及び列ｎに分けて指定されてもよい。ｍ個の被計測物９０００がｎ列に配列されていることを識別部１１４２が事前に認識することにより、被計測物９０００の検出が容易になる。
【００４４】
望ましくは、識別部１１４２は、背景領域及び被計測物領域を識別する情報を表示部１０６４に描画する。
【００４５】
ステップＳ１０４において、領域設定部１１４３は、２個以上の被処理領域を２次元画像に設定する。被処理領域とは、２次元画像において被計測物領域のうち処理の対象として指定される領域であり、１個の被処理領域が被計測物であるひとつのディスプレイ画面に相当する領域となる。
【００４６】
識別部１１４２が背景領域及び被計測物領域を識別できた場合は、領域設定部１１４３は、被計測物領域に被処理領域を設定する。これにより、被処理領域が容易に設定される。
【００４７】
識別部１１４２が背景領域及び被計測物領域を識別できない場合及び識別部１１４２が省略される場合は、領域設定部１１４３は被処理領域を設定する操作が操作部１０６３を用いて行われたことを検出し当該操作に従って被処理領域を設定する。
【００４８】
ステップＳ１０５において、選択部１１４４は、２個以上の被処理領域から１個以上の被処理領域を選択する。まず、最初の選択においては、少なくとも１個の選択されない被処理領域を残して、被処理領域が選択される。
【００４９】
望ましくは、選択部１１４４は、選択された１個以上の被処理領域（選択された被処理領域）及び選択された１個以上の被処理領域以外（選択されない被処理領域）を識別する情報を表示部１０６４に描画する。これにより、選択された被処理領域及び選択されない被処理領域が容易に認識される。
【００５０】
望ましくは、選択部１１４４は、１個以上の被処理領域を選択する操作が操作部１０６３を用いて行われたことを検出し、当該操作に従って１個以上の被処理領域を選択する。操作部１０６３を用いた操作が検出されることなく１個以上の被処理領域が選択されてもよい。例えば、２個以上の被処理領域から１つずつ順番に被処理領域が選択されてもよい。又は、３×３に区切られた９個の被処理領域が予め設定され、順番に又は任意に選択された被処理領域に対して個別の処理が実行されてもよい。
【００５１】
ステップＳ１０６において、条件設定部１１４５は、選択された被処理領域に適用される第１の処理条件を設定する。
【００５２】
ステップＳ１０７において、設定が完了しているか否かによって処理が分岐する。設定が完了していない場合は、処理がステップＳ１０５に戻り、ステップＳ１０５において、選択部１１４４が既に選択されている１個以上の被処理領域（第１の１個以上の被処理領域）とは異なる新たな１個以上の被処理領域（第２の１個以上の被処理領域）を選択し、ステップＳ１０６において、条件設定部１１４５が第２の１個以上の被処理領域に適用される第２の処理条件を設定する。第２の処理条件は、第１の処理条件と異なる。したがって、第１の１個以上の被処理領域に適用される第１の処理条件と第２の１個以上の被処理領域に適用される第２の処理条件とは互いに独立して設定される。第２の処理条件が設定されても第１の処理条件はその影響を受けない。第２の処理条件は、第２の１個以上の被処理領域の全てについて同じであってもよいし同じでなくてもよい。設定が完了している場合は、処理がステップＳ１０８へ進む。ステップＳ１０７における処理の分岐より、必要に応じて、設定が完了するまでステップＳ１０５及びＳ１０６が繰り返し実行される。
【００５３】
２次元色彩輝度計１０００が色度又は輝度の２次元分布の擬似カラー表示を描画する場合は、条件設定部１１４５は、第１の１個以上の被処理領域に適用される色度データ又は輝度データの第１の下限値及び第１の上限値と第２の１個以上の被処理領域に適用される色度データ又は輝度データの第２の下限値及び第２の上限値とを互いに独立して設定する。これにより、色度データ又は輝度データの擬似カラースケールへのマッピング範囲が被計測物９０００ごとに設定される。
【００５４】
２次元色彩輝度計１０００がスポットの位置における色度又は輝度の値を描画する場合は、条件設定部１１４５は、第１の１個以上の被処理領域に適用される第１のスポットの位置と第２の１個以上の被処理領域に適用される第２のスポットの位置とを互いに独立して設定する。これにより、色度データ又は輝度データの抽出位置が被計測物９０００ごとに設定される。
【００５５】
２次元色彩輝度計１０００が色度又は輝度のむらの強調表示を描画する場合は、条件設定部１１４５は、第１の１個以上の被処理領域に適用される第１のむらの強調条件と第２の１個以上の被処理領域に適用される第２のむらの強調条件とを互いに独立して設定する。これにより、色度データ又は輝度データのむらの強調条件が被計測物９０００ごとに設定される。
【００５６】
望ましくは、条件設定部１１４５は、選択された被処理領域に適用される処理条件を設定するためのユーザーインターフェースを２次元画像と並べて表示部１０６４に描画する。条件設定部１１４５は、選択された被処理領域に設定される処理条件を設定する操作が操作部１０６３を用いてユーザーインターフェースに対して行われたことを検出し、当該操作に従って選択された被処理領域に適用される処理条件を設定する。これにより、選択された被処理領域に適用される処理条件が容易に設定される。望ましくは、ユーザーインターフェースは、グラフィカルユーザーインターフェース（ＧＵＩ）部品である。ＧＵＩ部品は、例えばスライドバー、テキストボックス、ラジオボタン等である。
【００５７】
ステップＳ１０８において、処理部１１４６は、第１の１個以上の被処理領域に適用される第１の処理条件を適用して第１の１個以上の被処理領域における色度データ及び輝度データの両方又は片方を２次元画像データから取得し処理する。処理部１１４６は、第２の１個以上の被処理領域に適用される第２の処理条件を適用して第２の１個以上の被処理領域における色度データ及び輝度データの両方又は片方を２次元画像データから取得し処理する。
【００５８】
２次元色彩輝度計１０００が色度又は輝度の２次元分布の擬似カラー表示を描画する場合は、処理部１１４６は、色度データ又は輝度データの第１の下限値から第１の上限値までの範囲を擬似カラースケールにマッピングし、第１の１個以上の被処理領域における色度データ又は輝度データを２次元画像データから取得し、第１の１個以上の被処理領域における色度又は輝度の２次元分布の擬似カラー表示を表示部１０６４に描画する。また、処理部１１４６は、色度データ又は輝度データの第２の下限値から第２の上限値までの範囲を擬似カラースケールにマッピングし、第２の１個以上の被処理領域における色度データ又は輝度データを２次元画像データから取得し、第２の１個以上の被処理領域における色度又は輝度の２次元分布の擬似カラー表示を表示部１０６４に描画する。擬似カラー表示においては、着目する位置における色度データ又は輝度データに対応づけられた色で当該着目する位置が彩色される。
【００５９】
２次元色彩輝度計１０００がスポットの位置における色度又は輝度の値を描画する場合は、処理部１１４６は、第１の１個以上の被処理領域の第１のスポットの位置における色度データ又は輝度データを２次元画像データから取得し、第１の１個以上の被処理領域の第１のスポットの位置における色度又は輝度の値を表示部１０６４に描画する。また、処理部１１４６は、第２の１個以上の被処理領域の第２のスポットの位置における色度データ又は輝度データを２次元画像データから取得し、第２の１個以上の被処理領域の第２のスポットの位置における色度又は輝度の値を表示部１０６４に描画する。
【００６０】
２次元色彩輝度計１０００が色度又は輝度のむらの強調表示を描画する場合は、処理部１１４６は、第１の１個以上の被処理領域における色度データ又は輝度データを２次元画像データから取得し、第１のむらの強調条件に従って選択された被処理領域における色度及び輝度のむらの強調表示を表示部１０６４に描画する。また、処理部１１４６は、第２の１個以上の被処理領域における色度データ又は輝度データを２次元画像データから取得し、第２のむらの強調条件に従って第２の１個以上の被処理領域における色度及び輝度のむらの強調表示を表示部１０６４に描画する。
【００６１】
２次元色彩輝度計１０００によれば、同時に撮像された２個以上の被計測物９０００の各々を個別に評価することが容易になる。
【００６２】
（２次元色彩輝度計の使用例）
図６の模式図は、２次元色彩輝度計１０００の使用例を示す。
【００６３】
図６に示される使用例においては、９個の液晶パネル９０２０がフレーム９０２１に支持され配列される。縦方向の配列数は３個であり、横方向の配列数は３個である。液晶パネル９０２０の数、縦方向の配列数及び横方向の配列数の全部又は一部が変更されてもよい。配列された９個の液晶パネル９０２０から離して撮像機構１０２０が設置され、９個の液晶パネル９０２０が写った２次元画像を表現する２次元画像データが生成される。
【００６４】
（表示部の表示例）
図７から図１１までの模式図は、表示部１０６４の表示例を示す。
【００６５】
図７から図１１までに示されるように、表示部１０６４には、画像描画欄１１６０、テキスト描画欄１１６１及びスライドバー１１６２が描画される。スライドバー１１６２が他の種類のＧＵＩ部品に置き換えられてもよい。
【００６６】
９個の液晶パネル９０２０が写った２次元画像を表現する画像データ（２次元画像データ）を取得部１１４０が取得した場合は、図７に示されるように、表示制御部１１４１が９個の液晶パネル９０２０が写った２次元画像１１８０を画像描画欄１１６０に描画する。
【００６７】
識別部１１４２は、背景領域１２００及び被計測物領域１２０１を識別し、図８に示されるように、９個の被計測物領域１２０１の輪郭を示す枠１１８１を２次元画像１１８０に重ねて画像描画欄１１６０に描画する。枠１１８１は被処理領域の輪郭も示す。処理部１１４６は、被処理領域が設定された後に、色度又は輝度の２次元分布の擬似カラー表示を枠１１８１の内部に描画する。処理部１１４６が色度又は輝度のむらの強調表示を枠１１８１の内部に描画してもよい。
【００６８】
選択部１１４４が９個の被計測物領域１２０１から２個の被処理領域１２０２を選択した場合は、図９に示されるように、選択された被処理領域１２０２の輪郭を示す太枠１１８２を選択部１１４４が画像描画欄１１６０に描画する。加えて、９個の被計測物領域１２０１の一覧１２２０を選択部１１４４がテキスト描画欄１１６１に描画する。選択された被処理領域１２０２は、反転表示される。これにより、選択された被処理領域１２０２及び選択されない被処理領域１２０３が識別される。９個の被計測物領域１２０１には番号が付与される。当該番号は２次元画像１１８０に重ねて画像描画欄１１６０に描画される。処理部１１４６は、被処理領域１２０２のスポットの位置における色度又は輝度の値１２２１を被計測物領域１２０１の一覧１２２０の中に描画する。
【００６９】
色度データ又は輝度データの下限値及び上限値を設定する操作が操作部１０６３を用いて図１０に示されるスライドバー１１６２に対して行われた場合は、条件設定部１１４５が当該操作を検出し当該操作に従って色度データ又は輝度データの第１の下限値及び第１の上限値を設定する。処理部１１４６は、設定された第１の下限値及び第１の上限値を適用して選択された被処理領域１２０２における色度又は輝度の２次元分布の擬似カラー表示を描画しなおす。処理部１１４６は、第１のスポットの位置が設定された場合は、設定された第１のスポットの位置を適用して選択された被処理領域１２０２の第１のスポットの位置における色度又は輝度の値を描画しなおす。
【００７０】
望ましくは、図１１に示されるように、スポットの位置を示す円１２４０が被処理領域１２０１の内部に描画される。
【００７１】
本発明は詳細に示され記述されたが、上記の記述は全ての局面において例示であって限定的ではない。したがって、本発明の範囲からはずれることなく無数の修正及び変形が案出されうると解される。
【符号の説明】
【００７２】
１０００  ２次元色彩輝度計
１０２０  撮像機構
１０２１  ＰＣ
１１６０  画像描画欄
１１６１  テキスト描画欄
１１６２  スライドバー
【図１】
2014065121.tif 000003
【図２】
2014065121.tif 000004
【図３】
2014065121.tif 000005
【図４】
2014065121.tif 000006
【図５】
2014065121.tif 000007
【図６】
2014065121.tif 000008
【図７】
2014065121.tif 000009
【図８】
2014065121.tif 000010
【図９】
2014065121.tif 000011
【図１０】
2014065121.tif 000012
【図１１】
2014065121.tif 000013
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
色彩データ及び輝度データを持つ２個以上の表示画面が撮像された２次元画像を表現する画像データを取得する取得部と、
２個以上の被処理領域を前記２次元画像に設定する領域設定部と、
前記２個以上の被処理領域から、少なくとも１個の被処理領域を選択せずに残して、第１の１個以上の被処理領域を選択する選択部と、
選択された前記第１の１個以上の被処理領域に適用される第１の処理条件を設定する条件設定部と、
前記第１の処理条件を適用して前記第１の１個以上の被処理領域における色彩データ及び輝度データの両方又は片方を前記画像データから取得し処理する処理部と、
を備える２次元画像データ処理装置。
【請求項２】
前記条件設定部は、
前記第１の１個以上の被処理領域とは異なる第２の１個以上の被処理領域に適用され前記第１の処理条件と異なる第２の処理条件を設定し、
前記処理部は、
第２の処理条件を適用して前記第２の１個以上の被処理領域における色彩データ及び輝度データの両方又は片方を前記画像データから取得し処理する
請求項１の２次元画像データ処理装置。
【請求項３】
表示部
をさらに備え、
前記条件設定部は、
前記第１の１個以上の被処理領域に適用される前記色彩データ又は前記輝度データの上限値及び下限値を前記第１の処理条件として設定し、
前記処理部は、
前記色彩データ又は前記輝度データの前記下限値から前記上限値までの範囲を擬似カラースケールにマッピングし、前記第１の１個以上の被処理領域における前記色彩データ又は前記輝度データを前記画像データから取得し、前記第１の１個以上の被処理領域における色彩又は輝度の２次元分布の擬似カラー表示を前記表示部に描画する
請求項１の２次元画像データ処理装置。
【請求項４】
表示部
をさらに備え、
前記条件設定部は、
前記第１の１個以上の被処理領域に適用されるスポットの位置を前記第１の処理条件として設定し、
前記処理部は、
前記第１の１個以上の被処理領域の前記スポットの位置における前記色彩データ又は前記輝度データを前記画像データから取得し、前記第１の１個以上の被処理領域の前記スポットの位置における色彩又は輝度の値を前記表示部に描画する
請求項１の２次元画像データ処理装置。
【請求項５】
表示部
をさらに備え、
前記条件設定部は、
前記第１の１個以上の被処理領域に適用されるむらの強調条件を前記第１の処理条件として設定し、
前記処理部は、
前記第１の１個以上の被処理領域における前記色彩データ又は前記輝度データを前記画像データから取得し、前記むらの強調条件に従って前記第１の１個以上の被処理領域における色彩又は輝度のむらの強調表示を前記表示部に描画する
請求項１の２次元画像データ処理装置。
【請求項６】
表示部と、
前記画像データに基づいて前記２次元画像を前記表示部に描画する表示制御部と、
をさらに備え、
前記選択部は、
前記第１の１個以上の被処理領域及び前記第１の１個以上の被処理領域以外を識別する情報を前記表示部に描画する
請求項１の２次元画像データ処理装置。
【請求項７】
表示部と、
操作部と、
前記画像データに基づいて前記２次元画像を前記表示部に描画する表示制御部と、
をさらに備え、
前記条件設定部は、
前記第１の処理条件を設定するためのユーザーインターフェースを前記２次元画像と並べて前記表示部に描画し、前記第１の処理条件を設定する操作が前記操作部を用いて前記ユーザーインターフェースに対して行われたことを検出し、前記操作に従って前記第１の処理条件を設定する
請求項１の２次元画像データ処理装置。
【請求項８】
前記２次元画像の内部の背景領域及び被計測物領域を識別する識別部
をさらに備え、
前記領域設定部は、
前記被計測物領域に前記被処理領域を設定する
請求項１の２次元画像データ処理装置。
【請求項９】
操作部
をさらに備え、
前記識別部は、
前記被計測物領域の数を指定する操作が前記操作部を用いて行われたことを検出し、前記操作により指定された数の前記被計測物領域を認識する
請求項８の２次元画像データ処理装置。
【請求項１０】
色彩データ及び輝度データを持つ２個以上の表示画面の撮像を行い、撮像された２次元画像を表現する画像データを生成する撮像機構と、
前記画像データを取得する取得部と、
２個以上の被処理領域を前記撮像された２次元画像に設定する領域設定部と、
前記２個以上の被処理領域から、少なくとも１個の被処理領域を選択せずに残して、１個以上の被処理領域を選択する選択部と、
選択された前記１個以上の被処理領域に適用される処理条件を設定する条件設定部と、
前記処理条件を適用して前記１個以上の被処理領域における色彩データ又は輝度データの両方又は片方を前記画像データから取得し処理する処理部と、
を備える２次元色彩輝度計。
【請求項１１】
a) 色彩データ及び輝度データを持つ２個以上の表示画面が撮像された２次元画像を表現する画像データを取得する工程と、
b) ２個以上の被処理領域を前記２次元画像に設定する工程と、
c) 前記２個以上の被処理領域から、少なくとも１個の被処理領域を選択せずに残して、１個以上の被処理領域を選択する工程と、
d) 選択された前記１個以上の被処理領域に適用される処理条件を設定する工程と、
e) 前記処理条件を適用して前記１個以上の被処理領域における色彩データ及び輝度データの両方又は片方を前記画像データから取得し処理する工程と、
を備える２次元画像データ処理方法。
【請求項１２】
a) 色彩データ及び輝度データを持つ２個以上の表示画面が撮像された２次元画像を表現する画像データを取得する工程と、
b) ２個以上の被処理領域を前記２次元画像に設定する工程と、
c) 前記２個以上の被処理領域から、少なくとも１個の被処理領域を選択せずに残して、１個以上の被処理領域を選択する工程と、
d) 選択された前記１個以上の被処理領域に適用される処理条件を設定する工程と、
e) 前記処理条件を適用して前記１個以上の被処理領域における色彩データ及び輝度データの両方又は片方を前記画像データから取得し処理する工程と、
をコンピューターに実行させる２次元画像データ処理プログラム。
【国際調査報告】
2014065121.tif 000014
2014065121.tif 000015